(57)【要約】【課題】  広大なる用地を必要とし、ゴルフ状スイングにて投球する運動用具（未実用化）の特性を活かして、テニスやバトミントン程度の用地で個々に、又、気軽に行えるスポーツの運動用具を開発する。【解決手段】  投球されたボールを捕球する捕球部３を創出し、該捕球部３と投球部７間にパイプ状転送部５を介在連着する事により、捕球部３で捕球したボールを、即、パイプ状転送部５を経て、投球部７内に転送し、返球可能とする事により、ラリーが可能となった。  更に、投球部の受皿部６の後方適所間に、転送時、投球時の落球を防止する為の落球防止カバー１１を設けた。【選択図】  図１
2005296559.tif 000002
【特許請求の範囲】
【請求項１】
受皿部上面がシャフトの延長線上より約１５°開いて形成された投球部を有する運動用具において、ざる状部の底部中央に角部を大きめのＲ状としたボール導入口（２）を設ける事よより成る捕球部（３）をエルボ状部を介してパイプ状転送部（５）に連結し、該パイプ状転送部多端に落球防止カバー（１１）を設けた投球部（７）を捕球部と同方向を向くように連着する事より成る運動用具。
【発明の詳細な説明】
【技術分野】
【０００１】  本発明はゴルフとテニスの要素を兼ね備え、又、バドミントンの競技方法にも似たスポーツの運動用具に関するものであり、又、適度に縮小する事により玩具の分野にも属するものとなる。
【背景技術】
【０００２】  本発明はゴルフのウッド状のヘッドに受皿部を設けた投球部の、該受皿部上面の角度がシャフトの延長線上に対して約１５°開いて（先端に向かって下がって）形成する事により、強振しても弱振してもボールがまっすぐ飛ぶ様にした原理を応用したものであり、本発明ではシャフトへの連結部をパイプ状転送部への連結部としたものである。
【特許文献１】  特公平０４−０５３５５３号  公報
【発明の開示】
【発明が解決しようとする課題】
【０００３】  従来のゴルフ状スイングによる投球用運動用具にて投球しようとした場合、バックスイングの過大やタイミングのずれ等により落球するおそれがあった。【０００４】  又、前記投球用運動用具により行おうとするスポーツは、広大な用地を必要とする為、競技施設があっての運動用具であるから、コースの造成からとなると実用化が困難であった。【０００５】  そこで、該運動用具の特性を活かして、テニスやバドミントン程度の用地で個々に行え、又、運動場の片隅や安全な場所があれば、手軽に行えるスポーツにする方法を模索考察する事となった。
【課題を解決するための手段】
【０００６】  前記、従来の運動用具にて、ゴルフ状スイングにて投球する際の落球を防ぐには、受皿部の後方適所間に投球に支障がない程度の落球防止カバー（１１）を設ける事により、ほぼ解決した。【０００７】  又、テニスやバドミントン程度の用地で個々に、かつ手軽に行えるスポーツとするためには、前記、ゴルフ状スイングにて投球されたボールを捕球する捕球部を創り出し、該捕球部と従来の投球部間にパイプ状転送部（５）を介在連結する事により、捕球部（３）で捕球したボールを、即、パイプ状転送部（５）を経て投球部（７）内に転送し、ゴルフ状スイングにて返球可能とする事により、ラリーが可能となった。【０００８】  又、この様にする事により、前記、落球防止カバー（１１）は、パイプ状転送部（５）を経て投球部（７）への転送時に、ボールの加速度で落球するのをも防止する事を可能としている。
【発明の効果】
【０００９】  前記説明のように形成された本発明による運動用具による捕球時のボールの転入の状況を説明すると、ライナー性のボールを捕球部全面を垂直にして捕球した場合、ボール自体の速度と転動性により、捕球部（３）の下部からでも、斜め下部からでも、ボールはボール導入口（２）に転がり上がって行く事により、捕球する事ができるものである。【００１０】  尚、略ラッパ状の捕球部を、ざる状（網状）にする事により、ホールの反発を少なくし転動時の誤滑を防ぐ効果を得ている。【００１１】  又、捕球時より投球完了迄、熟達しても２、３秒は掛かるので、テニス等に比して相当スローテンポなゲームとなるから、熟年以上のスポーツとして適していると思われるが、捕球、転送、投球の三種の異なった動作を連続的に行う面白味があり、若年層にも受け入れられるものと思われる。
【本発明を実施する為の最良の形態】
【００１２】  本発明を実施する為の最良の形態を、図１、図２によって説明すると、やや軟質の合成樹脂から成るざる状部１の底部中央に、角部を大き目のＲ状としたボール導入口２を形成する事により、略ラッパ状の捕球部３が形成されている。
【００１３】  該捕球部３は、螺入式、または圧入接着式等で、エルボ状部４に固着され、更に、該エルボ状部他端には、捕球部３に対して直角状となるようにパイプ状転送部５が、前記同様に連着されている。
【００１４】  更に、パイプ状転送部５の他端には、上面が楕円形を呈した略半球状のヘッド状部に適当なる深さの受皿部６を設けた投球部７が、螺入部８、及び固定ナット９にて連着されているが、その際、捕球部３と投球部７が同方向を向くように設定されている。
【００１５】  尚、該投球部７は、パイプ状転送部５の平行延長線上に対して受皿部６上面の角度１０が１５°前後開いて（先方に向かって下がって）形成されている。
【００１６】  又１１は、ボールが捕球部３より投球部７への転送時の落球を防止するための落球防止カバーであり、該落球防止カバー１１は、受皿部６の後方適所間に投球に支障のない範囲で設けられるが、その取り付け方の一例として、受皿部６の上端肉厚部外周適所間に凹状溝１２を設け、該凹状溝１２に落球防止カバー下端に設けた屈曲部１３が款合接着されている。
【００１７】  尚、投球時において、パイプ状転送部上面の捕球部寄り適所に浅い目に設けられた感知用溝１４は、投球時に、親指を重ねるゴルフ状グリップにてゴルフ状スイングで投球する際に、目視で指の位置をきめるのは正確性に欠け、時間も掛かる為、即、親指の位置を感知するためのものである。
【００１８】  尚、本スポーツは、捕球時にはテニス状のグリップで、又投球時にはゴルフ状のグリップ及びスイングにて行われるから、投球時の球筋の左右のぶれは、個々に固定ナット９を緩めて調整する事か出来るものである。
【００１９】  又、図３は、投球部７方向から見た正面図であるが、受皿部６は、より球筋に好結果が得られる様に、略舟形状としているが、左利き用の場合は落球防止カバー１１及び凹状溝１２の位置と、受皿部６の形状を左右逆にする必要がある。
【００２０】  又、本発明によるスポーツは、ゴルフ状のスイングにて投球するので、ボールの軌道は適当なる深さを有する受皿部６の底部中心より、相当先端に寄る事により受皿部６内の出口穴は支障にならないと思われるが、念のため逆止弁を設ける場合は、図４に示すように弁部１５及び重り部１６から成るシーソー状部を挿通した芯棒１７が、パイプ状転送部内の出口穴１８手前の下部適所に貫通固着されている。
【００２１】  このようにする事により、ボールが重り部１６上を通過して弁部１５上に達するとボールの重みで２点鎖線に示す状態となり、ボールが受皿部６内に落下すると、弁部１５が元の位置にはね上がり、ボールの逆行を阻止する事ができるようにしたものである。
【００２２】  尚、本スポーツに使用されるボールは、構造上やや小さ目のものとする必要があり、軟質のゴルフボール程度のものが適当と思われるが、表面は白、赤、黄等小さくても目認しやすくする必要がある。
【００２３】  本発明は、以上の説明ように実施出来るが、捕球時、転送時、投球時にボールをそれぞれ落下させずに、又、ボールを思った所に投球するには練習が必要であるが、捕球時には捕球部全面を野球のグローブの如く、ライナー性にはほぼ正面に、フライ性には上向きにと、ボールの落下角度に合わせて自在に変化させる事が必要であり、又、転送時には適度の傾斜でボールを落球防止カバー側に落下させる事と、バックスイングをあまり大きく取らずに遠心力を利用してタイミングよく投球する事等が必要と思われる。
【実施例１】
【００２４】  以上の説明の如き形態をなす本発明による運動用具により行われる競技の概要及び、ルールについて説明すると、図５に示すように、コートはテニスとバドミントンの中間程度の大きさとし、ネットの高さは２ｍ前後と比較的高い目とし、ノーバウンド制でシングルス又はダブルス等でおこなわれる。【００２５】  尚、ネットよりそれぞれ２ｍの位置をフロントサービスライン１９とし、その後方の二分された部分がレフトサービスコート２０、及びライトサービスコート２１となる。【００２６】  尚、プレー開始のサービスは、エンドライン２２の後方で、かつセンターライン２３のレフトサイド、又はライトサイドより、ハンドイン（ボールを手で投球部内に入れる）の後、ゴルフ状スイングにてライトサイドからは向かって左側のライトサービスコート２１へ、又レフトサイドからは向かって右側のレフトサービスコート２０へ、言い変えれば斜め前方のサービスコート内へサービスを行うが、この際、サービスコート内に入らなかった場合、又はネットに当たった場合等は、フォルトとなり、ダブルフォルトで１失点となる。【００２７】  尚、対戦者は相手が投球しようとするサービスコート内でサービスを待つ事になるが、その後の２投目からは、コート全体がインプレーゾーンとなり、プレー中、投球時、捕球時、転送時のいずれの時点にでも落球すれば１失点となり、捕球時の落球はサービスからのプレーに戻るが、転送時、投球時の落球は、ハンドインでそのままプレーを続行する。【００２８】  尚、落球したボールを拾う際は、後ろ足（右足）を移動させずに軸にして、左足のみを移動させて拾うが、それでも届かない場合やライン外に転がり出た場合には、投球部７を前方に向け、捕球部３を右足外側に置いてマーカーとするがこの際、左利きの場合は後ろ足（左足）が軸となる。【００２９】  又、捕球動作終了後は投球完了迄、不要に移動するとフットフォルトとなり、通算２回で１失点となり、又、捕球時の惰性でエンドライン２２外、またはサイドライン２４外に体が出た場合には、そのライン通過地点のライン内直近迄戻ってから、投球をしなければならない（罰則無し）。【００３０】  以上は、本発明による運動用具で行われる競技の一例として述べたが、カウント方法その他不備な点が多々あるので、それ等の点は、従来のスポーツの慣例等を参考にして補足変更する必要がある。【００３１】  又、他の実施例としては、安全な場所が確保できれば、練習を兼ねてキャッチボール感覚でラリーを楽しむ事も可能である。
【実施例２】
【００３２】  又、サイズを適度に縮小して玩具用とし、バドミントンや羽根つきのような感覚で遊ぶ事も可能である。
【図面の簡単な説明】
【００３３】
【図１】  本発明による運動用具を示した１部断面側面図である。
【図２】  本発明による運動用具を示した平面図である。
【図３】  投球部７方向から見た状態を示した正面図である。
【図４】  逆止弁の一例を示した側面図である。
【図５】  本発明による運動用具によって行われる競技のコートの１例を示した平面図である。
【符号の説明】
【００３４】２  ボール導入口
３  捕球部
５  パイプ状転送部
７  投球部
１１  落球防止カバー
１４  感知用溝
【図１】
2005296559.tif 000003
【図２】
2005296559.tif 000004
【図３】
2005296559.tif 000005
【図４】
2005296559.tif 000006
【図５】
2005296559.tif 000007
【手続補正書】
【提出日】平成17年2月3日(2005.2.3)
【手続補正１】
【補正対象書類名】図面
【補正対象項目名】全図
【補正方法】変更
【補正の内容】
【図１】
2005296559.tif 000008
【図２】
2005296559.tif 000009
【図３】
2005296559.tif 000010
【図４】
2005296559.tif 000011
【図５】
2005296559.tif 000012